(57)【特許請求の範囲】
【請求項１】
少なくともコレステリック液晶からなる液晶層と、光導電体層とが積層され、その両層の外側に電極が配されてなる液晶デバイスに、画像を記録するための液晶デバイスの駆動装置であって、少なくとも、前記両電極間にバイアス電圧を印加し得る電源装置と、前記液晶デバイスを走査しつつ露光し得る露光装置とからなり、
前記電源装置により、前記液晶層におけるプレーナからフォーカルコニックへの状態変化のしきい値を越える実効電圧が当該液晶層に印加されるバイアス電圧を印加して、前記液晶層全体をフォーカルコニックにする初期化動作と、
前記液晶層におけるフォーカルコニックからホメオトロピックへの状態変化のしきい値を、非露光時には超えず露光時に前記光導電体層の抵抗値が小さくなることにより超える実効電圧が、当該液晶層に印加される程度のバイアス電圧であり、かつ、露光後にフォーカルコニックとホメオトロピックが双安定となるバイアス電圧を、前記電源装置により印加しながら、露光／非露光を選択走査して該液晶デバイスに画像を書き込む書き込み動作と、
前記電源装置によるバイアス電圧の印加を解除して、ホメオトロピックへ状態変化していた部位をプレーナに状態変化させる表示確定動作と、
の各動作が順次為され、かつ、
前記書き込み動作において、前記液晶層の露光部に与えられる電界エネルギーが、一連の走査動作の開始から終了にかけて漸次増加するように制御されることを特徴とする液晶デバイスの駆動装置。
【請求項２】
前記書き込み動作において、印加されるバイアス電圧の大きさが、一連の走査動作の開始から終了にかけて漸次大きくなるように制御することを特徴とする請求項１に記載の液晶デバイスの駆動装置。
【請求項３】
前記書き込み動作において、露光部の光強度が、一連の走査動作の開始から終了にかけて漸次大きくなるように制御することを特徴とする請求項１に記載の液晶デバイスの駆動装置。
【請求項４】
前記書き込み動作において、走査速度が、一連の走査動作の開始から終了にかけて漸次遅くなるように制御することを特徴とする請求項１に記載の液晶デバイスの駆動装置。
【請求項５】
前記露光装置が、レーザ光露光装置であることを特徴とする請求項１に記載の液晶デバイスの駆動装置。
【請求項６】
前記露光装置が、発光ダイオードアレイであることを特徴とする請求項１に記載の液晶デバイスの駆動装置。
【請求項７】
少なくともコレステリック液晶からなる液晶層と、光導電体層とが積層され、その両層の外側に電極が配されてなる液晶デバイスに、画像を記録するための液晶デバイスの駆動方法であって、
前記両電極間に、前記液晶層におけるプレーナからフォーカルコニックへの状態変化のしきい値を越える実効電圧が当該液晶層に印加されるバイアス電圧を印加して、前記液晶層全体をフォーカルコニックにする初期化工程と、
前記液晶層におけるフォーカルコニックからホメオトロピックへの状態変化のしきい値を非露光時には超えず露光時に前記光導電体層の抵抗値が小さくなることにより超える実効電圧が、当該液晶層に印加される程度のバイアス電圧であり、かつ、露光後にフォーカルコニックとホメオトロピックが双安定となるバイアス電圧を、前記両電極間に印加しながら、露光／非露光を選択走査して該液晶デバイスに画像を書き込む書き込み工程と、
バイアス電圧の印加を解除して、ホメオトロピックへ状態変化していた部位をプレーナに状態変化させることで表示画像を確定させる表示確定工程と、
からなり、かつ、
前記書き込み工程において、前記液晶層の露光部に与えられる電界エネルギーが、一連の走査操作の開始から終了にかけて漸次増加するように制御することを特徴とする液晶デバイスの駆動方法。
【請求項８】
前記書き込み工程において、印加するバイアス電圧の大きさを、一連の走査操作の開始から終了にかけて漸次大きくすることを特徴とする請求項７に記載の液晶デバイスの駆動方法。
【請求項９】
前記書き込み工程において、露光部の光強度を、一連の走査操作の開始から終了にかけて漸次大きくすることを特徴とする請求項７に記載の液晶デバイスの駆動方法。
【請求項１０】
前記書き込み工程において、走査速度を、一連の走査操作の開始から終了にかけて漸次遅くすることを特徴とする請求項７に記載の液晶デバイスの駆動方法。
【請求項１１】
前記露光手段として、レーザ光を用いることを特徴とする請求項７に記載の液晶デバイスの駆動方法。
【請求項１２】
前記露光手段として、発光ダイオードアレイを用いることを特徴とする請求項７に記載の液晶デバイスの駆動方法。
【発明の詳細な説明】
【技術分野】
【０００１】
本発明は、液晶および光導電体を用いて画像を表示し、記録する液晶デバイスに像を書き込むための駆動装置、および液晶デバイスの駆動方法に関する。
【背景技術】
【０００２】
利便性の高い各種リライタブルマーキング技術の研究が為されているが、その１つの方向性として、コレステリック液晶を用いた表示媒体は、無電源で表示を保持できるメモリー性を有すること、偏光板を使用しないため明るい表示が得られること、カラーフィルターを用いずにカラー表示が可能なことなどの特長を有することから近年注目を集めている。
【０００３】
コレステリック液晶（カイラルネマチック液晶）が示すプレーナは、螺旋軸に平行に入射した光を右旋光と左旋光に分け、螺旋の捩れ方向に一致する円偏光成分をブラッグ反射し、残りの光を透過させる選択反射現象を起こす。反射光の中心波長λおよび反射波長幅Δλは、螺旋ピッチをｐ、螺旋軸に直交する平面内の平均屈折率をｎ、複屈折率をΔｎとすると、それぞれ、λ＝ｎ・ｐ、Δλ＝Δｎ・ｐで表され、プレーナのコレステリック液晶層による反射光は、螺旋ピッチに依存した鮮やかな色を呈する。
【０００４】
正の誘電率異方性を有するコレステリック液晶は、図１７（Ａ）に示すように、螺旋軸がセル表面に垂直になり、入射光に対して上記の選択反射現象を起こすプレーナ、図１７（Ｂ）に示すように、螺旋軸がほぼセル表面に平行になり、入射光を少し前方散乱させながら透過させるフォーカルコニック、および図１７（Ｃ）に示すように、螺旋構造がほどけて液晶ダイレクタが電界方向を向き、入射光をほぼ完全に透過させるホメオトロピック、の３つの状態を示す。
【０００５】
上記の３つの状態のうち、プレーナとフォーカルコニックは、無電界で双安定に存在することができる。したがって、コレステリック液晶の状態は、液晶層に印加される電界強度に対して一義的に決まらず、プレーナが初期状態の場合には、電界強度の増加に伴って、プレーナ、フォーカルコニック、ホメオトロピックの順に変化し、フォーカルコニックが初期状態の場合には、電界強度の増加に伴って、フォーカルコニック、ホメオトロピックの順に変化する。
【０００６】
一方、液晶層に印加した電界強度を急激にゼロにした場合には、プレーナとフォーカルコニックはそのままの状態を維持し、ホメオトロピックはプレーナに変化する。
したがって、パルス信号を印加した直後のコレステリック液晶層は、図１８に示すようなスイッチング挙動を示し、印加されたパルス信号の電圧が、Ｖｆｈ以上のときには、ホメオトロピックからプレーナに変化した選択反射状態となり、ＶｐｆとＶｆｈの間のときには、フォーカルコニックによる透過状態となり、Ｖｐｆ以下のときには、パルス信号印加前の状態を継続した状態、すなわちプレーナによる選択反射状態またはフォーカルコニックによる透過状態となる。
【０００７】
図１８中、縦軸は正規化光反射率であり、最大光反射率を１００、最小光反射率を０として、光反射率を正規化している。また、プレーナ、フォーカルコニックおよびホメオトロピックの各状態間には、遷移領域が存在するため、正規化光反射率が５０以上の場合を選択反射状態、正規化光反射率が５０未満の場合を透過状態と定義し、プレーナとフォーカルコニックの状態変化のしきい値電圧をＶｐｆとし、フォーカルコニックとホメオトロピックの状態変化のしきい値電圧をＶｆｈとする。
【０００８】
コレステリック液晶による表示媒体は、一対の表示基板間に液晶を連続相として封入する構造のほかに、高分子バインダ中にコレステリック液晶をドロップ状に分散したＰＤＬＣ（Ｐｏｌｙｍｅｒ  Ｄｉｓｐｅｒｓｅｄ  Ｌｉｑｕｉｄ  Ｃｒｙｓｔａｌ）構造や、高分子バインダ中にマイクロカプセル化されたコレステリック液晶を分散したＰＤＭＬＣ（Ｐｏｌｙｍｅｒ  Ｄｉｓｐｅｒｓｅｄ  Ｍｉｃｒｏｅｎｃａｐｓｕｌａｔｅｄ  Ｌｉｑｕｉｄ  Ｃｒｙｓｔａｌ）構造にすることができる（例えば、特許文献１〜３参照）。
【０００９】
ＰＤＬＣ構造やＰＤＭＬＣ構造を用いると、液晶の流動性が抑えられるため曲げや圧力に対する画像の乱れが小さくなり、フレキシブルな媒体を実現できる。また、複数のコレステリック液晶層を直接積層してカラー表示を行うことや、光導電体層と積層して光信号で画像をアドレスする表示媒体とすることもできる。さらに、表示層を厚膜印刷技術を用いて形成することが可能となるため、製造方法が簡略化されて低コストになるという利点もある。
【００１０】
従来、当該技術を利用した表示媒体が多数提案されている（例えば、特許文献４参照）。
当該技術による光書き込み型（光アドレス型）の表示媒体では、このコレステリック液晶の双安定現象を利用して、（Ａ）プレーナによる選択反射状態と、（Ｂ）フォーカルコニックによる透過状態と、をスイッチングすることによって、無電界でのメモリ性を有する各種色相のモノクロ表示、または無電界でのメモリ性を有するカラー表示を行う。
【００１１】
当該技術による液晶デバイスは、全面にわたって同時に露光しなくても画像を形成することができることから、走査系の露光装置、例えばレーザ光露光装置や発光ダイオードアレイを用いて、液晶デバイスの表面を走査することにより、画像の書き込みをすることができる。
【００１２】
図１９は、当該技術による液晶デバイスを走査系の露光装置で画像の書き込みを行っている様子を模式的に表す模式図である。図１９に示されるように、当該技術による液晶デバイスは、一対の電極基板間に液晶層である表示層と光導電体層であるＯＰＣ層とを例えば遮光層を挟んで積層挟持してなるものである。表示層全面をプレーナにリセットした後、両透明電極に所定のバイアス電圧を印加した状態でラインヘッドあるいはビームスキャナ等の露光装置でＯＰＣ層側の表面を走査して像様に露光することで、所望の記録画像を書き込むことができる。
【００１３】
特許文献５に記載の技術では、書き込みの作業を初期化工程、書き込み工程および表示確定工程の３つに分け、状態変化速度の遅いプレーナからフォーカルコニックではなく、速度の速いフォーカルコニックからホメオトロピックへの状態変化を書き込み工程におけるスイッチとして採用している。この状態変化速度の速い書き込み工程の操作のみを時分割して各画素乃至各ライン毎に行って液晶デバイス全面を走査することで、大幅に書き込み時間の短縮された駆動方法を提案している。
【００１４】
【特許文献１】特公平７−００９５１２号公報
【特許文献２】特開平９−２３６７９１号公報
【特許文献３】特許第３１７８５３０号明細書
【特許文献４】特開平１１−２３７６４４号公報
【特許文献５】特開２００７−１７４６１号公報
【発明の開示】
【発明が解決しようとする課題】
【００１５】
図１９に示したように、書き込みの際に液晶層は、露光の有無により、プレーナからフォーカルコニックへの状態変化を生じさせる部位とさせない部位とのコントラストを得て、所望の記録画像を形成するものであるが、このプレーナからフォーカルコニックへの状態変化に数百ｍｓ（およそ２００ｍｓ以上）の時間をかけて状態変化を完了させるため、１走査ライン（あるいは１画素）毎に数百ｍｓの書き込み時間を費やすことから、液晶デバイス全面を書き換えるのには、合計として多大な時間がかかってしまう。
【００１６】
そこで本発明者らは、このような走査系の露光装置で露光して画像を書き込む場合でも書き込み時間が短く、実用性の高い液晶デバイスの駆動方法乃至駆動装置に係る技術を特許文献５にて提案している。当該技術は、状態変化速度の遅いプレーナからフォーカルコニックではなく、状態変化速度の速いフォーカルコニックからホメオトロピックへの状態変化を書き込みのための状態変化として採用する技術である。
しかし、一連の走査における初期の光照射時から最終ライン（あるいは最終画素）の光照射時に向けて、得られる画像の反射率が徐々に低下して、画像にムラを生じてしまう場合があった。
【００１７】
図２０は、一例として、一連の走査における初期ラインの光照射部の反射率（０−４５反射率（％）：表示面の鉛直方向に対して、０度の方向から外光を入射させ、４５度の方向に反射される光を測定した場合の、完全拡散面に対する反射率）を表すグラフであり、図２１は、一連の走査における最終ラインの光照射部の反射率（同）を表すグラフである。両グラフを比較すると、ピークを示す波長４７０ｎｍ前後を含め、最終ラインの光照射部の反射率が全体的に低下していることがわかる。
【００１８】
したがって、本発明は、コレステリック液晶を用いた液晶デバイスに対して、走査系の露光装置で露光して画像を書き込む場合でも書き込み時間が短いフォーカルコニックからホメオトロピックへの状態変化を書き込みのための状態変化として採用しつつ、得られる表示画像のムラが少ない液晶デバイスの駆動装置、および液晶デバイスの駆動方法を提供することにある。
【課題を解決するための手段】
【００１９】
上記目的は、以下の本発明により達成される。すなわち本発明の液晶デバイスの駆動装置は、少なくともコレステリック液晶からなる液晶層と、光導電体層とが積層され、その両層の外側に電極が配されてなる液晶デバイスに、画像を記録するための液晶デバイスの駆動装置であって、少なくとも、前記両電極間にバイアス電圧を印加し得る電源装置と、前記液晶デバイスを走査しつつ露光し得る露光装置とからなり、
前記電源装置により、前記液晶層におけるプレーナからフォーカルコニックへの状態変化のしきい値を越える実効電圧が当該液晶層に印加されるバイアス電圧を印加して、前記液晶層全体をフォーカルコニックにする初期化動作と、
前記液晶層におけるフォーカルコニックからホメオトロピックへの状態変化のしきい値を、非露光時には超えず露光時に前記光導電体層の抵抗値が小さくなることにより超える実効電圧が、当該液晶層に印加される程度のバイアス電圧であり、かつ、露光後にフォーカルコニックとホメオトロピックが双安定となるバイアス電圧を、前記電源装置により印加しながら、露光／非露光を選択走査して該液晶デバイスに画像を書き込む書き込み動作と、
前記電源装置によるバイアス電圧の印加を解除して、ホメオトロピックへ状態変化していた部位をプレーナに状態変化させる表示確定動作と、
の各動作が順次為され、かつ、
前記書き込み動作において、前記液晶層の露光部に与えられる電界エネルギーが、一連の走査動作の開始から終了にかけて漸次増加するように制御されることを特徴とする。
【００２０】
一方、本発明の液晶デバイスの駆動方法は、少なくともコレステリック液晶からなる液晶層と、光導電体層とが積層され、その両層の外側に電極が配されてなる液晶デバイスに、画像を記録するための液晶デバイスの駆動方法であって、
前記両電極間に、前記液晶層におけるプレーナからフォーカルコニックへの状態変化のしきい値を越える実効電圧が当該液晶層に印加されるバイアス電圧を印加して、前記液晶層全体をフォーカルコニックにする初期化工程と、
前記液晶層におけるフォーカルコニックからホメオトロピックへの状態変化のしきい値を非露光時には超えず露光時に前記光導電体層の抵抗値が小さくなることにより超える実効電圧が、当該液晶層に印加される程度のバイアス電圧であり、かつ、露光後にフォーカルコニックとホメオトロピックが双安定となるバイアス電圧を、前記両電極間に印加しながら、露光／非露光を選択走査して該液晶デバイスに画像を書き込む書き込み工程と、
バイアス電圧の印加を解除して、ホメオトロピックへ状態変化していた部位をプレーナに状態変化させることで表示画像を確定させる表示確定工程と、
からなり、かつ、
前記書き込み工程において、前記液晶層の露光部に与えられる電界エネルギーが、一連の走査操作の開始から終了にかけて漸次増加するように制御することを特徴とする。
【００２１】
本発明の液晶デバイスの駆動装置乃至駆動方法によれば、前記液晶層の露光部に与えられる電界エネルギーについて、一連の走査操作（動作）の開始から終了にかけて漸次増加するように制御することで、一連の走査操作（動作）の中で徐々に低下しているものと推測される液晶デバイスの感度を当該増加する電界エネルギーで補償することができ、結果として反射率低下を抑え、表示画像のムラを低減させることができる。
【００２２】
なお、本発明において、「一連の走査操作」あるいは「一連の走査動作」という場合の「一連の」とは、書き込み工程においてバイアス電圧（以下、書き込み工程で印加されるバイアス電圧を「書き込み電圧」という場合がある。）を印加しつつ露光／非露光を選択走査する操作（動作）における、書き込み電圧が連続的に印加されている間を指すものとする。
【００２３】
従って、例えば画素毎に数行に渡って走査する場合において、行間でバイアス電圧の印加を解除せず連続して印加している場合には、数行にわたって走査される全体の走査操作（動作）が、一方、行間でバイアス電圧の印加を解除して行毎に電圧印加／解除を繰り返している場合（ただし、液晶の配向状態に影響を与えないほど電圧解除時間がごく短い場合は含まない。）には、１つの行の各走査操作（動作）が、それぞれ本発明における「一連の走査操作」あるいは「一連の走査動作」に相当する。
【００２４】
また、「操作」は本発明の駆動方法において、各工程で実際に行う作業を指し、「動作」は本発明の駆動装置において、装置の構成部材が為す動作を指す。ただし、本発明の駆動装置においては、本発明の駆動方法における操作を装置の構成部材に動作として行わせるように制御するので、結果として「操作」と「動作」とは本発明においてほとんど同義になる。
【００２５】
本発明においては、前記書き込み工程（動作）での「前記液晶層の露光部に与えられる電界エネルギーが、一連の走査動作の開始から終了にかけて漸次増加するするように制御」する具体的な手法（以下、単に「電界エネルギー漸増手法」という場合がある。）としては、以下の３つを例示することができる。
【００２６】
（１）バイアス電圧の漸増
印加されるバイアス電圧の大きさが、一連の走査操作（動作）の開始から終了にかけて漸次大きくなるようにする。
（２）光強度の漸増
露光部の光強度が、一連の走査操作（動作）の開始から終了にかけて漸次大きくなるようにする。
（３）走査速度の遅延化
走査速度が、一連の走査操作（動作）の開始から終了にかけて漸次遅くなるようにする。
【００２７】
本発明において、前記露光手段（装置）としては、走査するレーザ光を用いる手段、すなわち、レーザ光露光装置であってもよいし、走査する発光ダイオードアレイであってもよく、走査系のものであればその態様には制限が無い。
【発明の効果】
【００２８】
本発明によれば、コレステリック液晶を用いた液晶デバイスに対して、走査系の露光装置で露光して画像を書き込む場合でも書き込み時間が短いフォーカルコニックからホメオトロピックへの状態変化を書き込みのための状態変化として採用しつつ、得られる表示画像のムラが少ない液晶デバイスの駆動装置、および液晶デバイスの駆動方法を提供することができる。
【発明を実施するための最良の形態】
【００２９】
以下、本発明を図面に則して詳細に説明する。
［本発明の前提基本技術］
本発明の液晶デバイスの駆動方法（以下、単に「本発明の駆動方法」という場合がある。）は、初期化工程、書き込み工程および表示確定工程の３つの工程の操作を基本とするものであり、本発明の液晶デバイスの駆動装置（以下、単に「本発明の駆動装置」という場合がある。）は、含まれる電源装置および露光装置等により、これら工程の操作が動作として為されるように制御されてなるものである。
【００３０】
本発明においては、特に書き込み工程（動作）の構成が特徴的なのであるが、本項ではまず、本発明に特徴的な当該構成を除く、本発明の前提技術となる基本技術について説明する。
図１に、コレステリック液晶の状態変化の一覧を模式的に示す。電圧の印加に伴い、プレーナにある状態からフォーカルコニック、さらにホメオトロピックへと状態変化する。
【００３１】
従来技術で説明した、特許文献１に記載の技術では、初期状態をプレーナとしておき、電圧を印加した状態で像様に露光することでプレーナからフォーカルコニックへと状態変化させることで、液晶層（表示層）に画像を書き込んでいる。プレーナおよびフォーカルコニックのいずれも、印加電圧を除した後もその状態が保持されるため、書き込まれた画像も安定的に保持される。
【００３２】
しかし、図１に示されるように、プレーナからフォーカルコニックへは状態変化速度が極めて遅く、既述の通り数百ｍｓもの時間を要してしまう。１つ１つの画素やラインに対して、このような時間をかけてしまうと、液晶面全面を走査して画像を書き込むのには多大な時間を要してしまう。つまり、図２に示されるように、１ラインあたり少なくとも２００ｍｓずつの時間を要し、完全に状態変化を生じさせてから次のラインの露光へと移動するため、書き込みに「２００ｍｓ以上」×ライン数の時間を要する。これは例えば、１００ラインの画像を書き込む場合には２０秒以上もの時間を、４８０ラインの画像を書き込む場合には１分３０秒以上もの時間を、それぞれ要してしまい、上記技術では、書き込みにおける実用性に関して十分なものとは言えない。
なお、ここで図２は、従来の液晶デバイスの駆動方法により走査系の露光装置で書き込む際の書き込み時間を説明するための説明図である。
【００３３】
本発明の基本技術では、状態変化速度の遅いプレーナからフォーカルコニックではなく、状態変化速度の速いフォーカルコニックからホメオトロピックへの状態変化を書き込みのための状態変化として採用している。すなわち、バイアス電圧およびアドレス光強度を、
・光照射時にフォーカルコニック状態（Ｆ状態）がホメオトロピック状態（Ｈ状態）に変化し、
・光照射後にＦ状態とＨ状態が双安定、
となる実効電圧が液晶層に印加される条件に設定する。そして、バイアス電圧の印加を開始して全面をＦ状態に変化させた後、画像データに基づいて、画像の反射部に光が照射されるように露光手段（露光装置）により書き込みを行う。
【００３４】
このとき、液晶層における明暗各状態変化は、（１）初期状態（Ｆ状態）にリセットされ（初期化工程・動作）、（２）露光手段（装置）によるアドレス光のＯＮ／ＯＦＦでＨ状態／Ｆ状態の２状態が選択され（書き込み工程・動作）、（３）Ｈ状態／Ｆ状態間の選択状態が双安定に保持され、（４）全ライン書き込み後にバイアス電圧を除去し、Ｈ状態の部位はプレーナ状態（Ｐ状態）に変化し、Ｆ状態の部位はそのままＦ状態のままで表示が確定し（表示確定工程・動作）、画像表示される。
速度の速いＦ状態→Ｈ状態への状態変化（配向変化）を利用し、かつ、両状態間による画像情報が同バイアス電圧でヒステリシス維持されることを利用しているため、露光（光アドレス）を行う時間を低減でき、書き込み時間を大幅に短縮することができる。
【００３５】
Ｆ状態→Ｈ状態への状態変化に要する露光時間は２ｍｓ以上程度なので、Ｐ状態→Ｆ状態への状態変化を利用していた従来の技術に比して書き込み時間を、理論上、最大１％にまで短縮することができる。本発明の基本技術における書き込み時間について説明するための、図２と同様の説明図を図３に示す。図３からも明らかなように、本発明の基本技術によれば、１ラインの書き込み時間を大幅に短縮することができるため、全体としての書き込み時間を大幅に短縮することができる。
【００３６】
すなわち、書き込みに要する時間は「２ｍｓ以上」×ライン数なので、例えば、１００ラインの画像を書き込む場合に僅か０．２秒内外の時間で十分であり、４８０ラインの画像を書き込む場合であっても実に１秒内外の時間で十分であり、前記従来の技術では不十分であった書き込みにおける実用性が、本発明の基本技術により飛躍的に向上している。
【００３７】
［本発明の原理］
以上のように本発明の基本技術の駆動方法によれば、走査系の露光装置で露光して画像を書き込む場合でも書き込み時間を大幅に短縮し得るが、既述のように、一連の走査における初期の光照射時から最終ライン（あるいは最終画素）の光照射時に向けて、得られる画像の反射率が徐々に低下して、画像にムラを生じてしまう場合があった。
【００３８】
これを解決するために、本発明では、３つの工程（動作）のうち書き込み工程において、前記液晶層の露光部に与えられる電界エネルギーが、一連の走査操作の開始から終了にかけて漸次増加するように制御する。この構成により、一連の走査操作の開始から終了にかけて得られる画像の反射率の低下を抑えて、画像のムラを低減することができる。
以下、この原理について、推測を含めて説明する。
【００３９】
図４は、本発明の基本技術による書き込みの様子を時系列で表すチャートであり、図２および図３と同様、縦軸は書き込み時間の経過を、横軸は走査ラインの位置をそれぞれ示し、ハッチングされた領域は書き込み工程の操作（書き込み光の照射とバイアス電圧の印加）が為されていることを表すものである。図４の例では、１走査ラインあたりの書き込み時間（露光時間）が３ｍｓであり、最終ラインの書き込み工程開始時Ｄが走査操作開始時Ａから２０００ｍｓ後である態様を示している。
【００４０】
図４に示されるように、先頭ラインから走査を開始し書き込み工程の操作が為され、各操作ラインを順次走査し最終ラインの書き込み工程の操作が終了すると、一連の走査操作（動作）が完了する。
この一連の走査操作（動作）の途中段階における液晶デバイスについて光の透過率（０−０透過率（％）：表示面の鉛直方向に対して、０度の方向から外光を入射させ、０度の方向に透過してくる光を測定した場合の透過率）を測定した結果を図５乃至図８にグラフにて示す。図５は先頭ラインにおける走査操作開始時Ａ（０ｍｓ）と書き込み工程開始時Ｂ（２０ｍｓ）とを比較するものであり、図６は最終ラインにおける走査操作開始時Ａ（０ｍｓ）と書き込み工程開始時Ｄ（２０００ｍｓ）とを比較するものである。
【００４１】
図５のグラフを見ればわかるとおり、先頭ラインにおいては、走査操作開始時Ａと書き込み工程開始時Ｂとで、光の透過率にほとんど差が無い。しかし、図６を見ると、最終ラインにおいては、走査操作開始時Ａと書き込み工程開始時Ｄとで、光の透過率に大きな隔たりが生じている。書き込み工程開始時ＢおよびＤとは、書き込み工程の操作が未だ為されていない、すなわち書き込み光の照射が為されていない状態であり、これらグラフから、書き込む前の液晶の状態が先頭ラインと最終ラインとで異なっていることがわかる。
【００４２】
一方図７は、先頭ラインにおける書き込み工程開始時Ｂ（２０ｍｓ）から終了時Ｃ（２３ｍｓ）までの間の推移を１ｍｓ毎に示したものであり、図８は最終ラインにおける書き込み工程開始時Ｄ（２０００ｍｓ）から終了時Ｅ（２００３ｍｓ）までの間の推移を１ｍｓ毎に示したものである。
【００４３】
初期化工程でフォーカルコニックの透過状態になっている液晶層は、書き込み工程の操作（バイアス電圧の印加と書き込み光の照射）が為されてホメオトロピック状態へと変化していく。ホメオトロピック状態はフォーカルコニック状態よりもさらに高い透過率を有することから、図７および図８のグラフを見ればわかるとおり、書き込み工程の操作が進むにつれて透過率が上昇する。しかし、両グラフをよく精査すると、先頭ラインに比して最終ラインでは、透過率の変化が遅く、すなわち液晶の配向変化速度が遅くなっていることが確認される。
【００４４】
先頭ラインと最終ライン、すなわち一連の走査操作の初期段階と終了間近では、走査による露光までにバイアス電圧が印加されていた時間の長さが大幅に隔たっている。このことと図４〜８を用いて説明した現象から、液晶層の状態としては、図９および図１０に示される以下の現象が起こっていることが推定される。
【００４５】
図９に、図４のチャートによる書き込みの先頭ラインにおける液晶の状態変化を模式的に表す。先頭ラインでは走査操作開始時Ａと書き込み工程開始時Ｂとで時間の経過が少なく、バイアス電圧の印加時間も短いため、図９（ａ）に示されるように、ドメインが多いフォーカルコニック（前方散乱光が多いため０−０透過率は低い）がそのままの状態で維持され、その状態から書き込み工程の操作が為されると、図９（ｂ）に示されるように、多くのドメイン界面（欠陥）を起点として、素早くホメオトロピックへと状態変化するものと推測される。
【００４６】
図１０に、図４のチャートによる書き込みの最終ラインにおける液晶の状態変化を模式的に表す。最終ラインでは走査操作開始時Ａと書き込み工程開始時Ｂとで長い時間が経過し（２０００ｍｓ）、バイアス電圧の印加時間も長くなるため、図１０（ａ）に示されるように、よりドメインが少ない綺麗なフォーカルコニック（前方散乱光が少ないため０−０透過率は高い）の状態に進行し、この状態から書き込み工程の操作が為されると、配向変化の起点となるドメイン界面（欠陥）が少ないため、ホメオトロピックへの状態変化が起こりにくくなるものと推測される。
【００４７】
その他、印加するバイアス電圧が直流である場合には、液晶層における空間電荷の偏りに起因する実効電圧の低下も考えられる。すなわち、長時間の電圧印加により液晶層においてイオン電荷の偏りが生じ、液晶デバイスに印加している電圧が同一であっても、実際に液晶層に印加される電界エネルギーが低下し、ホメオトロピックへの状態変化に時間がかかる理由になると考えられる。
【００４８】
いずれにしても、一連の走査における初期から最終ラインに向けて徐々に表示画像の反射率が低下するのは、書き込み電圧印加時間の経過と共に、液晶層中のコレステリック液晶がホメオトロピックに状態変化し辛くなり、液晶デバイスとしての感度が低下して行くことが原因であると推測される。
【００４９】
この原因を解消するために、本発明は、書き込み操作（動作）において、液晶層の露光部に与えられる電界エネルギーが、一連の走査操作（動作）の開始から終了にかけて漸次増加するように制御することを特徴としている。一連の走査操作（動作）の中で徐々に低下しているものと推測される液晶デバイスの感度を当該増加する電界エネルギーで補償することができ、結果として反射率低下を抑え、表示画像のムラを低減させることができる。
【００５０】
前記電界エネルギーを漸次増加させる間は、一連の走査操作（動作）の開始から終了にかけてであり、途中でバイアス電圧の印加が解除され再び印加された場合、その都度電界エネルギーは初期の量にリセットされて、印加時点から再び前記電界エネルギーが漸次増加するように制御される。
【００５１】
［本発明の態様］
前記書き込み工程（動作）での電界エネルギー漸増手法として挙げた前記３つの例示について、以下説明する。
（１）バイアス電圧の漸増
本態様は、印加されるバイアス電圧の大きさが、一連の走査操作（動作）の開始から終了にかけて漸次大きくなるようにする。印加電圧の大きさを変えることで、電界エネルギーを漸次増加するように制御するのが本態様である。
【００５２】
バイアス電圧を徐々に大きくすることで、同じ露光強度や同じ走査速度であっても液晶層に分圧される実効電圧が次第に大きくなって行く為、最終ラインに向けて露光部の電界エネルギーを漸次増加することが可能となり、面内での書き込みに必要なエネルギーのばらつきを補正することができる。
本態様によれば、総書き込み時間を損なうことなく、面均一な画像を書き込むことができる。
【００５３】
バイアス電圧の大きさは、大きくし過ぎて当該バイアス電圧だけでフォーカルコニックからホメオトロピックへの状態変化のしきい値を超えてしまうものであってはならない。あくまでもバイアス電圧に要求される条件「前記液晶層におけるフォーカルコニックからホメオトロピックへの状態変化のしきい値を非露光時には超えず露光時に前記光導電体層の抵抗値が小さくなることにより超える実効電圧が、当該液晶層に印加される程度のバイアス電圧」を満たす必要がある。
【００５４】
具体的にどの程度電圧を漸次大きくすればよいかは、一連の走査操作（動作）の時間、書き込み光の光強度や色相、液晶デバイスの構成、バイアス電圧の周波数等により異なり一概には言えないので、実際の適用に当たっては、事前に実験を行って最適な条件を求めておけばよい。
【００５５】
（２）光強度の漸増
本態様は、露光部の光強度が、一連の走査操作（動作）の開始から終了にかけて漸次大きくなるようにする。光強度を変えることで、光導電体層で光電変化される電界エネルギーを漸次増加するように制御するのが本態様である。
【００５６】
光強度を徐々に大きくすることで、光導電体層で発生する光キャリア量が徐々に増加し、同じバイアス電圧や同じ走査速度であっても液晶層に印加される電圧が次第に大きくなって行く為、最終ラインに向けて露光部の電界エネルギーを漸次増加することが可能となり、面内での書き込みに必要なエネルギーのばらつきを補正することができる。
本態様によれば、総書き込み時間を損なうことなく、面均一な画像を書き込むことができる。
【００５７】
光強度は、あまりに大きくし過ぎても効果は飽和してしまうので、結果として、電界エネルギーを漸次増加することができる範囲内で選択される。勿論、書き込み光に要求される条件「前記液晶層におけるフォーカルコニックからホメオトロピックへの状態変化のしきい値を非露光時には超えず露光時に前記光導電体層の抵抗値が小さくなることにより超える実効電圧が、当該液晶層に印加される程度」の光強度を満たす必要がある。
【００５８】
具体的にどの程度光強度を漸次大きくすればよいかは、一連の走査操作（動作）の時間、バイアス電圧の大きさ、バイアス電圧の周波数、液晶デバイスの構成、書き込み光の色相、等により異なり一概には言えないので、実際の適用に当たっては、事前に実験を行って最適な条件を求めておけばよい。
【００５９】
（３）走査速度の遅延化
本態様は、走査速度が、一連の走査操作（動作）の開始から終了にかけて漸次遅くなるようにする。走査速度を変えることで、電界エネルギーを漸次増加するように制御するのが本態様である。
【００６０】
走査速度を徐々に遅くすることで、走査ラインごとのバイアス電圧印加時間および書き込み光の露光時間が長くなり、最終ラインに向けて露光部の電界エネルギーを漸次増加することが可能となり、面内での書き込みに必要なエネルギーのばらつきを補正することができる。
本態様によれば、総書き込み時間は長くなるものの、バイアス電圧や書き込み光の光強度は一定のため、簡易な電源装置や露光装置を用いて、面均一な画像を書き込むことができる。
【００６１】
これら３つの態様は、それぞれ単独で為してもよいが、２つ以上を組み合わせても構わない。例えば、一連の走査操作（動作）の開始から終了にかけて、バイアス電圧および光強度の双方を漸次大きくなるようにしたり、走査速度を漸次遅くしつつバイアス電圧を漸次大きくなるようにしても構わない。
【００６２】
［本発明の好ましい実施形態］
図１１は、本発明の液晶デバイスの駆動方法を適用したシステムの例示的一態様である実施形態の概略構成図である。本実施形態のシステムは、表示媒体（液晶デバイス）１と書き込み装置（液晶デバイスの駆動装置）２とからなる。
【００６３】
＜表示媒体＞
表示媒体とは、アドレス光の照射、バイアス信号の印加によって光アドレス動作ができる部材であり、具体的には液晶デバイスである。
本実施形態において、表示媒体１は、表示面側から順に、透明基板３、透明電極（電極）５、液晶層７、ラミネート層８、着色層（遮光層）９、ＯＰＣ層（光導電体層）１０、透明電極（電極）６および透明基板４が積層されてなる物である。
【００６４】
（透明基板）
透明基板３，４は、各機能層を内面に保持し、表示媒体１の構造を維持する目的の部材である。透明基板３，４は、外力に耐える強度を有するシート形状の物体であり、表示面側の透明基板３は少なくとも入射光を、書き込み面側の透明基板４は少なくともアドレス光を、それぞれ透過する。これらはフレキシブル性を有することが好ましい。
【００６５】
具体的な材料としては、無機シート（たとえばガラス・シリコン）、高分子フィルム（たとえばポリエチレンテレフタレート、ポリスルホン、ポリエーテルスルホン、ポリカーボネート、ポリエチレンナフタレート）等を挙げることができる。外表面に、防汚膜、耐磨耗膜、光反射防止膜、ガスバリア膜など公知の機能性膜を形成してもよい。
なお、本発明において基板を含むときであっても、当該基板は、透明であることが必須なわけでは無い。
【００６６】
（透明電極）
透明電極５，６は、書き込み装置２から印加されたバイアス電圧を、表示媒体１内の各機能層へ面均一に印加する目的の部材である。透明電極５，６は、面均一な導電性を有し、表示面側の電極５は少なくとも入射光を、書き込み面側の電極６は少なくともアドレス光を透過する。具体的には、金属（たとえば金、アルミニウム）、金属酸化物（たとえば酸化インジウム、酸化スズ、酸化インジウムスズ（ＩＴＯ））、導電性有機高分子（たとえばポリチオフェン系・ポリアニリン系）などで形成された導電性薄膜を挙げることができる。表面に、密着力改善膜、光反射防止膜、ガスバリア膜など公知の機能性膜を形成してもよい。
なお、本発明において当該電極は、透明であることが必須なわけでは無い。
【００６７】
（液晶層）
本発明において液晶層とは、コレステリック（カイラルネマチック）液晶の光干渉状態の変化を利用して、電場によって入射光の反射・透過状態を変調する機能を有し、選択した状態が無電場で保持できる性質のものである。表示層としては、曲げや圧力などの外力に対して変形しない構造であることが好ましい。
【００６８】
本実施形態において液晶層７としては、コレステリック液晶および透明樹脂からなる自己保持型液晶複合体の液晶層が形成されてなるものである。すなわち、複合体として自己保持性を有するためスペーサ等を必要としない液晶層である。本実施形態では、高分子マトリックス（透明樹脂）１１中にコレステリック液晶１２が分散した状態となっている。
なお、本発明においては、液晶層が、自己保持型液晶複合体の液晶層であることは必須ではなく、単に液晶のみで液晶層を構成することとしても勿論構わない。
【００６９】
コレステリック液晶は、入射光のうち特定の色光の反射・透過状態を変調する機能を有し、液晶分子がらせん状に捩れて配向しており、らせん軸方向から入射した光のうち、らせんピッチに依存した特定の光を干渉反射する。電場によって配向が変化し、反射状態を変化させることができる。液晶層を自己保持型液晶複合体とする場合には、ドロップサイズが均一で、単層稠密に配置されていることが好ましい。
【００７０】
コレステリック液晶として使用可能な具体的な液晶としては、ステロイド系コレステロール誘導体、あるいはネマチック液晶やスメクチック液晶（たとえばシッフ塩基系、アゾ系、アゾキシ系、安息香酸エステル系、ビフェニル系、ターフェニル系、シクロヘキシルカルボン酸エステル系、フェニルシクロヘキサン系、ビフェニルシクロヘキサン系、ピリミジン系、ジオキサン系、シクロヘキシルシクロヘキサンエステル系、シクロヘキシルエタン系、シクロヘキサン系、トラン系、アルケニル系、スチルベン系、縮合多環系）、またはこれらの混合物に、カイラル剤（たとえばステロイド系コレステロール誘導体、シッフ塩基系、アゾ系、エステル系、ビフェニル系）を添加したもの等を挙げることができる。
【００７１】
コレステリック液晶の螺旋ピッチは、例えば、表示色を青、緑あるいは赤にする場合には、それぞれ選択反射の中心波長が、順に４００ｎｍ〜５００ｎｍ、５００ｎｍ〜６００ｎｍあるいは６００ｎｍ〜７００ｎｍの範囲になるようにする。コレステリック液晶の螺旋ピッチを制御するには、液晶分子を適切な化学構造のものにするほか、一般にネマチック液晶に対するカイラル剤の種類と添加量で調整する。
【００７２】
液晶層７がコレステリック液晶１２と高分子マトリックス（透明樹脂）１１からなる自己保持型液晶複合体を形成する形態としては、コレステリック液晶の連続相中に網目状の樹脂を含むＰＮＬＣ（Ｐｏｌｙｍｅｒ  Ｎｅｔｗｏｒｋ  Ｌｉｑｕｉｄ  Ｃｒｙｓｔａｌ）構造や、高分子の骨格中にコレステリック液晶がドロップレット状に分散されたＰＤＬＣ（Ｐｏｌｙｍｅｒ  Ｄｉｓｐｅｒｓｅｄ  Ｌｉｑｕｉｄ  Ｃｒｙｓｔａｌ）構造（マイクロカプセル化されたものを含む）を用いることができ、ＰＮＬＣ構造やＰＤＬＣ構造とすることによって、コレステリック液晶と高分子の界面にアンカリング効果を生じ、無電界でのプレーナまたはフォーカルコニックの保持状態を、より安定にすることができる。
【００７３】
ＰＮＬＣ構造やＰＤＬＣ構造は、高分子と液晶とを相分離させる公知の方法、例えば、アクリル系、チオール系、エポキシ系などの、熱や光、電子線などによって重合する高分子前駆体と液晶を混合し、均一相の状態から重合させて相分離させるＰＩＰＳ（Ｐｏｌｙｍｅｒｉｚａｔｉｏｎ  Ｉｎｄｕｃｅｄ  ＰｈａｓｅＳｅｐａｒａｔｉｏｎ）法、ポリビニルアルコールなどの、液晶の溶解度が低い高分子と液晶とを混合し、攪拌懸濁させて、液晶を高分子中にドロップレット分散させるエマルジョン法、熱可塑性高分子と液晶とを混合し、均一相に加熱した状態から冷却して相分離させるＴＩＰＳ（Ｔｈｅｒｍａｌｌｙ  Ｉｎｄｕｃｅｄ  Ｐｈａｓｅ  Ｓｅｐａｒａｔｉｏｎ）法、高分子と液晶とをクロロホルムなどの溶媒に溶かし、溶媒を蒸発させて高分子と液晶とを相分離させるＳＩＰＳ（Ｓｏｌｖｅｎｔ  Ｉｎｄｕｃｅｄ  Ｐｈａｓｅ  Ｓｅｐａｒａｔｉｏｎ）法などによって形成することができるが、特に限定されるものではない。
【００７４】
高分子マトリックス１１は、コレステリック液晶１２を保持し、表示媒体１の変形による液晶の流動（画像の変化）を抑制する機能を有するものであり、液晶材料に溶解せず、また液晶と相溶しない液体を溶剤とする高分子材料が好適に用いられる。また、高分子マトリックス１１としては、外力に耐える強度をもち、少なくとも反射光および書き込み光（アドレス光）に対して高い透過性を示す材料であることが望まれる。
【００７５】
高分子マトリックス１１として採用可能な材料としては、水溶性高分子材料（例えばゼラチン、ポリビニルアルコール、セルロース誘導体、ポリアクリル酸系ポリマー、エチレンイミン、ポリエチレンオキサイド、ポリアクリルアミド、ポリスチレンスルホン酸塩、ポリアミジン、イソプレン系スルホン酸ポリマー）、あるいは水性エマルジョン化できる材料（例えばフッ素樹脂、シリコーン樹脂、アクリル樹脂、ウレタン樹脂、エポキシ樹脂）等を挙げることができる。
【００７６】
（ＯＰＣ層）
ＯＰＣ層（光導電体層）１０は、内部光電効果をもち、アドレス光の照射強度に応じてインピーダンス特性が変化する特性を有する層である。ＡＣ動作が可能であり、アドレス光に対して対称駆動になることが好ましく、電荷発生層（ＣＧＬ）が電荷輸送層（ＣＴＬ）の上下に積層された３層構造が好適である。本実施形態では、ＯＰＣ層１０として、図１１における上層から順に上側の電荷発生層１３、電荷輸送層１４および下側の電荷発生層１５が積層されてなる。
【００７７】
電荷発生層１３，１５は、アドレス光を吸収して光キャリアを発生させる機能を有する層である。主に、電荷発生層１３が表示面側の透明電極５から書き込み面側の透明電極６の方向に流れる光キャリア量を、電荷発生層１５が書き込み面側の透明電極６から表示面側の透明電極５の方向に流れる光キャリア量を、それぞれ左右している。電荷発生層１３，１５としては、アドレス光を吸収して励起子を発生させ、電荷発生層内部、または電荷発生層／電荷輸送層界面で自由キャリアに効率良く分離させられるものが好ましい。
【００７８】
電荷発生層１３，１５は、電荷発生材料（例えば金属又は無金属フタロシアニン、スクアリウム化合物、アズレニウム化合物、ペリレン顔料、インジゴ顔料、ビスやトリス等アゾ顔料、キナクリドン顔料、ピロロピロール色素、多環キノン顔料、ジブロモアントアントロンなど縮環芳香族系顔料、シアニン色素、キサンテン顔料、ポリビニルカルバゾールとニトロフルオレン等電荷移動錯体、ピリリウム塩染料とポリカーボネート樹脂からなる共昌錯体）を直接成膜する乾式法か、またはこれら電荷発生材料を、高分子バインダー（例えばポリビニルブチラール樹脂、ポリアリレート樹脂、ポリエステル樹脂、フェノール樹脂、ビニルカルバゾール樹脂、ビニルホルマール樹脂、部分変性ビニルアセタール樹脂、カーボネート樹脂、アクリル樹脂、塩化ビニル樹脂、スチレン樹脂、ビニルアセテート樹脂、酢酸ビニル樹脂、シリコーン樹脂等）とともに適当な溶剤に分散ないし溶解させて塗布液を調製し、これを塗布し乾燥させて成膜する湿式塗布法等により形成することができる。
【００７９】
電荷輸送層１４は、電荷発生層１３，１５で発生した光キャリアが注入されて、バイアス信号で印加された電場方向にドリフトする機能を有する層である。一般に電荷輸送層は、電荷発生層の数１０倍の厚みを有するため、電荷輸送層１４の容量、電荷輸送層１４の暗電流、および電荷輸送層１４内部の光キャリア電流が、ＯＰＣ層１０全体の明暗インピーダンスを決定付けている。
【００８０】
電荷輸送層１４は、電荷発生層１３，１５からの自由キャリアの注入が効率良く発生し（電荷発生層１３，１５とイオン化ポテンシャルが近いことが好ましい）、注入された自由キャリアができるだけ高速にホッピング移動するものが好適である。暗時のインピーダンスを高くするため、熱キャリアによる暗電流は低い方が好ましい。
【００８１】
電荷輸送層１４は、低分子の正孔輸送材料（たとえばトリニトロフルオレン系化合物、ポリビニルカルバゾール系化合物、オキサジアゾール系化合物、ベンジルアミノ系ヒドラゾンあるいはキノリン系ヒドラゾン等のヒドラゾン系化合物、スチルベン系化合物、トリフェニルアミン系化合物、トリフェニルメタン系化合物、ベンジジン系化合物）、または低分子の電子輸送材料（たとえばキノン系化合物、テトラシアノキノジメタン系化合物、フルオレノン化合物、キサントン系化合物、ベンゾフェノン系化合物）を、高分子バインダー（たとえばポリカーボネート樹脂、ポリアリレート樹脂、ポリエステル樹脂、ポリイミド樹脂、ポリアミド樹脂、ポリスチレン樹脂、含珪素架橋型樹脂等）とともに適当な溶剤に分散ないし溶解させたもの、あるいは上記正孔輸送材料や電子輸送材料を高分子化した材料を適当な溶剤に分散ないし溶解させたものを調製し、これを塗布し乾燥させて形成すればよい。
【００８２】
（着色層）
着色層（遮光層）９とは、書き込み時にアドレス光と入射光とを光学分離し、相互干渉による誤動作を防ぐとともに、表示時に表示媒体１の非表示面側から入射する外光と表示画像を光学分離し、画質の劣化を防ぐ目的で設けられる層であり、本発明において必須の構成要素ではない。ただし、表示媒体１の性能向上のためには、設けることが望まれる層である。その目的から、着色層９には、少なくとも電荷発生層１３，１５の吸収波長域の光、および液晶層７の反射波長域の光を吸収する機能が要求される。
【００８３】
着色層９は、具体的には、無機顔料（例えばカドミウム系、クロム系、コバルト系、マンガン系、カーボン系）、または有機染料や有機顔料（アゾ系、アントラキノン系、インジゴ系、トリフェニルメタン系、ニトロ系、フタロシアニン系、ペリレン系、ピロロピロール系、キナクリドン系、多環キノン系、スクエアリウム系、アズレニウム系、シアニン系、ピリリウム系、アントロン系）をＯＰＣ層１０の電荷発生層１３側の面に直接成膜する乾式法か、あるいはこれらを高分子バインダー（たとえばポリビニルアルコール樹脂、ポリアクリル樹脂等）とともに適当な溶剤に分散ないし溶解させて塗布液を調製し、これを塗布し乾燥させて成膜する湿式塗布法等により形成することができる。
【００８４】
（ラミネート層）
ラミネート層（接着層）８は、それぞれ上下基板内面に形成した各機能層を貼り合わせる際に、凹凸吸収および接着の役割を果たす目的で設けられる層であり、本発明において必須の構成要素ではない。ラミネート層８は、ガラス転移点の低い高分子材料からなるものであり、熱や圧力によって液晶層７と着色層９とを密着・接着させることができる材料が選択される。また、少なくとも入射光に対して透過性を有することが条件となる。
ラミネート層８に好適な材料としては、粘着性の高分子材料（例えばウレタン樹脂、エポキシ樹脂、アクリル樹脂、シリコーン樹脂）を挙げることができる。
【００８５】
図１２は、図１１に示される構造の表示媒体（液晶デバイス）１の等価回路を示す回路図である。Ｃlc，ＣopcおよびＲlc，Ｒopcは、それぞれ液晶層７およびＯＰＣ層１０の静電容量および抵抗値である。ＣeおよびＲeは、液晶層７およびＯＰＣ層１０以外の構成要素の等価静電容量および等価抵抗値である。
【００８６】
表示媒体１の透明電極５−透明電極６間に外部の書き込み装置２から印加されるバイアス電圧をＶとすると、各構成要素には、各構成要素間のインピーダンス比によって決まる分圧Ｖlc，ＶopcおよびＶeが印加される。より具体的には、バイアス電圧が印加された直後には各構成要素の容量比で決定される分圧が生じ、時間経過とともに各構成要素の抵抗値比で決定される分圧へと緩和していく。
【００８７】
ここで、アドレス光の強度に応じてＯＰＣ層１０の抵抗値Ｒopcが変化するため、露光と非露光によって液晶層７に印加される実効電圧を制御することができる。露光時にはＯＰＣ層１０の抵抗値Ｒopcが小さくなって液晶層７に印加される実効電圧は大きくなり、逆に非露光時にはＯＰＣ層１０の抵抗値Ｒopcが大きくなって液晶層７に印加される実効電圧は小さくなる。
【００８８】
＜書き込み装置＞
本発明において書き込み装置（液晶デバイスの駆動装置）２とは、表示媒体１に画像を書き込む装置であり、表示媒体１に対してアドレス光の照射を行う光照射部（露光装置）１８および表示媒体１にバイアス電圧を印加する電圧印加部（電源装置）１７を主要構成要素とし、さらにこれらの動作を制御する制御回路１６が配されてなる。
【００８９】
（光照射部）
光照射部（露光装置）１８は、像様となる所定のアドレス光パターンを表示媒体１に走査して照射する機能を有し、制御回路１６からの入力信号に基づき、表示媒体１上(詳しくは、ＯＰＣ層上）に所望の光画像パターン（スペクトル・強度・空間周波数）を照射できるものであれば特に制限されるものではない。
光照射部１８により照射されるアドレス光としては、ＯＰＣ層１０の吸収波長域のエネルギーができるだけ多い光であることが好ましい。
【００９０】
光照射部１８としては、具体的には、光源（たとえば、冷陰極管、キセノンランプ、ハロゲンランプ、発光ダイオード（ＬＥＤ）、ＥＬ、レーザ等）を一次元のアレイ状に配置したものや、ポリゴンミラーと組み合せたもの、など一次元的あるいは二次元的に走査させる走査動作によって任意の二次元発光パターンを形成できるものや、これと光学素子（たとえばマイクロレンズアレイ、セルホックレンズアレイ、プリズムアレイ、視野角調整シート）との組み合わせたものを挙げることができる。
【００９１】
（電圧印加部）
電圧印加部（電源装置）１７は、所定のバイアス電圧を表示媒体１に印加する機能を有し、制御回路１６からの入力信号に基づき、表示媒体（各電極間）に所望の電圧波形を印加できるものであればよい。電圧印加部１７には、例えばバイポーラ高電圧アンプなどを用いることができる。
【００９２】
電源印加部による表示媒体１への電圧の印加は、接触端子１９を介して、透明電極５−透明電極６間に為される。
ここで接触端子１９とは、電圧印加部１７および表示媒体１（透明電極５，６）に接触して、両者の導通を行う部材であり、高い導電性を有し、透明電極５，６および電圧印加部１７との接触抵抗が小さいものが選択される。表示媒体１と書き込み装置２とを切り離すことができるように、透明電極５，６と電圧印加部１７とのどちらか、あるいは両者から分離できる構造であることが好ましい。
【００９３】
接触端子１９としては、金属（たとえば金・銀・銅・アルミ・鉄）、炭素、これらを高分子中に分散させた複合体、導電性高分子（たとえばポリチオフェン系・ポリアニリン系）などでできた端子で、電極を挟持するクリップ・コネクタ形状のものが挙げられる。
【００９４】
（制御回路）
制御回路１６は、外部（画像取り込み装置、画像受信装置、画像処理装置、画像再生装置、あるいはこれらの複数の機能を併せ持つ装置等）からの画像データに応じて、電圧印加部１７および光照射部１８の動作を適宜制御する機能を有する部材である。制御回路１６による具体的な制御内容については、本発明に特徴的な「初期化工程（動作）」、「書き込み工程（動作）」「表示確定工程（動作）」の３つの工程（動作）からなるものであり、その詳細については別記のとおりである。
【００９５】
（全体構成）
図１３は、本発明の液晶デバイスの駆動方法に供し得る書き込み装置（液晶デバイスの駆動装置）２の例を示す斜視図であり、露光装置にレーザを用いた場合である。なお、当該図において、制御回路１６の図示は省略されている。
【００９６】
露光光学系は、光源５１として半導体レーザを用い、コリメータレンズ５２、ポリゴンミラー５３、ポリゴンモーター５４、ｆ−θレンズ５５、折り返し用ミラー５６などによって構成され、レーザビーム５７は、ビーム調整ミラー５８を介して同期信号発生器５９に送られ、走査タイミングの同期に用いられる。図では省略されているが、この露光装置の制御装置は、一般の電子写真用レーザ露光装置のそれと同様である。
【００９７】
表示媒体（液晶デバイス）１の副走査方向への送りは、図示のように表示媒体１を平面状に固定して、パルスモータによって行い、または、表示媒体１の基板をフィルムで構成することにより、表示媒体１を柔軟性のあるものとして、円筒状のドラムに固定して、モータによって回転させる、などの方法によることができる。
【００９８】
電圧印加部１７は、初期化動作と書き込み動作とで異なる電圧を供給する場合には、少なくとも２水準の電圧を供給できる電源である必要があるが、後述するように両電圧を等しくする場合には、その限りでは無い。
【００９９】
図１４は、本発明の液晶デバイスの駆動方法に供し得る書き込み装置（液晶デバイスの駆動装置）２の他の一例を示し、露光装置に発光ダイオードアレイを用いた場合である。露光用の光源が発光ダイオードアレイ６２と自己結像型ロッドレンズアレイ６３によって構成されるほかは、図１３を用いて説明した上記例と同様である。
【０１００】
＜動作＞
図１１にて例示した実施形態の液晶デバイスの駆動装置を用いて、本発明の液晶デバイスの駆動方法、および液晶デバイスの駆動装置の動作（操作）について、以下に詳細に説明する。なお、以下の説明においては、書き込み動作での電界エネルギー漸増手法として、既述の「（１）バイアス電圧の漸増」を採用した態様により説明する。
【０１０１】
図１５は、図１１にて例示した実施形態の液晶デバイスの駆動装置（書き込み装置２）の動作について、バイアス電圧・アドレス光強度・ヘッド（光照射部１８における露光装置）の位置の相互関係について時系列で示すチャートである。また、図１６は、各期間における液晶の配向状態を図１５のチャートに対応して模式的に表したチャートである。
【０１０２】
書き込み装置２は、駆動前の前表示期間１８においてはヘッドが待機位置にある。表示媒体１は、前書き込み状態を維持したままで、制御信号・画像データの取り込みや制御回路１６でのデータ変換などが行われている。表示媒体１を書き込み装置２から切り離している場合には、所定の位置へのセットおよび接触端子１９との接続を行う。前表示期間１８に要する時間は、制御信号・画像データの取り込みや制御回路１６でのデータ変換、表示媒体１のセットなど、書き込みに必要な前処理を行うのに十分な時間である。
【０１０３】
図１５に示されるように、前表示期間１８、すなわちバイアス電圧が印加されずアドレス光も照射されない、ヘッドが待機位置にある状態から、まず、準備期間１９として、バイアス電圧波形２２Ｂの直流パルスによって構成されるバイアス電圧２２Ａを印加する（初期化工程・動作）。
【０１０４】
準備期間１９では、バイアス電圧２２Ａを印加することによって、液晶層７内のコレステリック液晶１２は全て、図１６に示されるようにフォーカルコニックとなる。この工程の操作により、コレステリック液晶１２がフォーカルコニックになった表示媒体１は、図１７を見てもわかるように入射光を透過している状態になる。
【０１０５】
従来例では、準備期間１９で印加するバイアス電圧として、電圧Ｖａの範囲の中でも、次工程である書き込み期間２０Ａにおいて印加すべき電圧値である電圧Ｖｂとオーバーラップする電圧Ｖｃを採用している。したがって、準備期間１９から書き込み期間２０Ａ（保持期間２６）終了時まで、ずっと同一の大きさのバイアス電圧を印加していることとなる。そのため、一連の走査操作の初期と最終ラインの間で、書き込み期間までにこのバイアス電圧が印加されている時間に差が生じ、既述の通り、液晶デバイスとしての感度のばらつきによる表示画像のムラが生ずる懸念があった。しかし、本発明により、当該懸念が払拭されている。詳しくは、次工程である書き込み期間２０Ａにて説明する。
【０１０６】
次に、書き込み期間２０Ａにおいて、実際の書き込みが行われる（書き込み工程・動作）。すなわち、ヘッドが走査を開始し、書き込むべき像に対応したヘッド位置を選択して、選択期間２０Ｂの間明時光強度２３Ａの光が照射される。書き込み期間２０Ａでは、書き込み画像に対応して各コレステリック液晶がＦ状態またはＨ状態に選択される。この段階では、表示媒体１に反射画像はまだ形成されていない。
この選択期間２０Ｂは、状態変化速度の速いＦ状態からＨ状態への状態変化を採用しているため、従来のＰ状態からＦ状態への状態変化に比して飛躍的に時間短縮されている。
【０１０７】
液晶層７およびＯＰＣ層１０には、図１１や図１２を見ても明らかなように、電気的に直列に配されたこれら全体の両端に、バイアス電圧Ｖが印加された状態になっている。そのため、液晶層７およびＯＰＣ層１０には、それぞれバイアス電圧Ｖの分圧がかかっており、液晶層７における分圧Ｖlc（すなわち、液晶層印加電圧＝実効電圧）は、ＯＰＣ層の抵抗値opcの変化の影響を受ける。
選択期間２０Ｂにおける光照射により、ＯＰＣ層１０の抵抗値Ｒopcが低下し、電気的に直列配置されている液晶層７への分圧が増す結果となる。その結果、図１６に示されるように、液晶がＦ状態からＨ状態へと変化する。
【０１０８】
本例において、バイアス電圧（書き込み電圧）２２Ａは、図１５に示されるように、書き込み期間２０Ａの開始から終了までに渡って漸次増加する波形２２Ｂを描いている。このようにバイアス電圧２２Ａを漸次大きくすることによって、表示媒体１に与えられる電界エネルギーが漸次増加するようになっている。
【０１０９】
ヘッドは順次走査を続け、それぞれの部位において、光照射のＯＮ／ＯＦＦが選択されて、像様にＦ状態とＨ状態とが混在する潜像が形成される。光照射部はＦ状態からＨ状態へと状態変化するとともに、光非照射部はＦ状態のまま維持される。Ｆ状態およびＨ状態は、両状態が混在した状態でそのまま保持される。
【０１１０】
ヘッドが選択する前の部位については、選択期間２０Ｂになるまでの選択前期間２５となるが、この期間が長期にわたると、既述の通り、図１０（ａ）に示されるようなドメインが少ない綺麗なＦ状態（Ｆ’）に移行して行くものと推測される。図１６では、図１５で示される書き込み期間２０Ａの途中段階で走査されるラインを例に挙げており、ヘッドが選択する前の当該部位における液晶の状態は、ドメインがやや少ないＦ状態（図１６におけるＦ”）に移行している。
【０１１１】
既述のように、バイアス電圧２２Ａは漸次増加する波形２２Ｂであるため、図１６の選択期間２０Ｂにおいて液晶層に印加される明時電圧が、先頭の走査ラインに比して大きくなっており、ドメインがやや少ないＦ状態（Ｆ”）の液晶層を適切に状態変化させて、Ｈ状態にすることができる。
【０１１２】
アドレス光は、例えば図１５における領域Ａのように、複数の領域にわたって露光したい場合には、相当する複数の選択期間にわたって連続的に露光すればよい。このとき、図１５においては、ラインごとにヘッドを停止させて光照射を行っているが、各ラインに所定時間の光照射が為されるように調整しつつ連続的に各ラインを走査させても構わない。
【０１１３】
逆に複数の領域にわたって露光を行わない場合には、勿論連続する複数の選択期間にわたって非露光状態とすればよいのであるが、ヘッドがその期間当該位置に停止している必要は無いため、当該領域を飛ばして、次の露光すべき領域まで即移動してしまってもよい。このように構成することにより、書き込み時間をより一層短縮することができる。
【０１１４】
ヘッドが全ての表示位置を走査し終える（一連の走査操作が終了する）と、アドレス光の照射停止は勿論のこと、印加していたバイアス電圧についても除され（表示確定工程・動作）、表示期間２１に移行する。表示期間２１では、印加していたバイアス電圧が無くなり、各コレステリック液晶１２の配向が無電場のメモリ状態に変化することで表示媒体１に画像が表示される。画像の明部（アドレス光が照射された部位）では、Ｈ状態から過渡プレーナ（ＴＰ）などの過渡状態を経てＰ状態への変化が生じ、暗部（アドレス光が照射されかたった部位）では、メモリ性のあるＦ状態がそのまま維持される。そして、最終的に安定的な記録画像が、表示媒体１に形成される。
表示期間２１としては、各配向変化に必要な時間以上であればよい。バイアス信号およびアドレス光が必要無いので、表示期間２１中に書き込み装置２から表示媒体１が切り離されていても構わない。
【０１１５】
以上、好ましい実施形態を挙げて本発明の液晶デバイスの駆動装置および駆動方法を詳細に説明したが、本発明は以上の実施形態に限定されるものではない。例えば、上記実施形態では書き込み動作での電界エネルギー漸増手法として、「（１）バイアス電圧の漸増」を採用した態様を例に挙げて説明したが、既述の「（２）光強度の漸増」や「（３）走査速度の遅延化」を採用してもよく、その場合にバイアス電圧は一定にしておいて、露光装置からの光強度が徐々に大きくなるように、あるいは、走査速度が徐々に遅くなるように、それぞれ制御すればよい。勿論、バイアス電圧も変化させる等、これら３つの手法を２つ以上取り入れて、全体として前記書き込み工程（動作）での電界エネルギー漸増手法として機能するように制御しても構わない。
【０１１６】
また、上記実施形態では液晶層が１層のみからなる単色画像形成用の液晶デバイスを例に挙げて説明したが、液晶層やその他の層を必要に応じて複数層として多色画像が形成できる液晶デバイスとしてもよいし、このとき少なくともブルー、グリーンおよびレッドの三原色を表示し得る液晶層を積層することでフルカラー画像が形成できる液晶デバイスとしてもよい。
【０１１７】
その他、当業者は、従来公知の知見に従い、本発明の液晶デバイスの駆動装置および駆動方法を適宜改変することができる。かかる改変によってもなお本発明の液晶表示媒体、本発明の液晶デバイスの駆動装置および駆動方法の構成を具備する限り、勿論、本発明の範疇に含まれるものである。
【実施例】
【０１１８】
以下、本発明を、実施例を挙げることで、より具体的に説明するが、本発明は以下の実施例に限定されるものではない。
本発明に適用し得る液晶デバイスとして、図１１に記載の表示媒体１を試作して、本発明および比較例の液晶デバイスの駆動方法ないし液晶デバイスの駆動装置を利用して、画像の書き込みを行った。図１１を参照しつつ説明する。
【０１１９】
片面にＩＴＯ（表面抵抗３００Ω／□）が形成された１２５μｍ厚のポリエチレンテレフタレート（ＰＥＴ）フィルム（東レ社製，ハイビーム）を５０．８ｍｍ（２インチ）角に切り出して、透明基板４および透明電極６とした。そのＩＴＯ（透明電極６）側の面に、ポリビニルブチラール樹脂をブタノールに溶解した溶液に、電荷発生材料（チタンフタロシアニン顔料）をペイントシェイカーで分散させた塗料を、スピンコート法によって乾燥膜厚が０．２μｍとなるように塗布・乾燥し、電荷発生層１５を形成した。
【０１２０】
次にその上に、ポリカーボネート樹脂と電荷輸送材料（ベンジジンＮ，Ｎ’−ビス（３−メチルフェニル）−１，１’−ビフェニル−４，４’−ジアミン）をモノクロロベンゼンに溶解した塗料を、ディップコート法によって乾燥膜厚が６μｍになるように塗布・乾燥し、電荷輸送層１４を形成した。さらにその上に、ポリビニルブチラール樹脂をブタノールに溶解した溶液に、電荷発生材料（チタニルフタロシアニン顔料）をペイントシェイカーで分散させた塗料を、スピンコート法によって乾燥膜厚が０．２μｍとなるように塗布・乾燥し、電荷発生層１３を形成して、電荷発生層１５、電荷輸送層１４、電荷発生層１３の３層からなるＯＰＣ層１０を形成した。
【０１２１】
そのＯＰＣ層１０上に、カーボンブラック顔料を分散させたポリビニルアルコール水溶液を、スピンコート法によって乾燥膜厚が１．２μｍとなるように形成して、着色層９とした。さらに当該着色層９の上層として、酢酸ブチルで希釈した二液性ウレタンラミネート剤（三井武田ケミカル社製，Ａ３１５／Ａ５０）を、スピンコート法によって乾燥膜厚が１．０μｍ厚となるように塗布し、ラミネート層８を形成した。
【０１２２】
コレステリック液晶として、ネマチック液晶（メルク社製，Ｅ７）７７．５質量％、右旋性カイラル剤（メルク社製，ＣＢ１５）１８．８質量％および右旋性カイラル剤（メルク社製，Ｒ１０１１）３．７質量％を混合して、緑色を反射する材料を調製した。
【０１２３】
４．２μｍ径のセラミック多孔質膜をセットした膜乳化装置（ＳＰＧテクノ社製,マイクロキット）を用いて、窒素圧力１１．８ｋＰａ（０．１２ｋｇｆ／ｃｍ2）の条件下で前記コレステリック液晶を０．２５質量％のドデシルベンゼンスルホン酸ナトリウム水溶液中に乳化した。得られたエマルジョンは、コレステリック液晶ドロップの粒径平均が１４．９μｍ、粒径標準偏差が１．３２μｍで、単分散に近い状態だった。
【０１２４】
次に、エマルジョンを静置してコレステリック液晶ドロップを沈降させ、上澄みを除去して濃縮されたエマルジョンを得た。この濃縮エマルジョン１質量部に対して、酸性法骨ゼラチン（ニッピ社製，ゼリー強度３１４）の７．７質量％水溶液を４質量部添加することにより、液晶層用塗布液内の不揮発分体積率が約０．１５、不揮発分内のコレステリック液晶体積率が約０．７０の液晶層用塗布液を得た。
【０１２５】
透明基板４および透明電極６として用いたものと同じＩＴＯ透明電極付きＰＥＴフィルム（東レ社製ハイビーム）を透明基板３および透明電極５として、５０℃に加熱してゼラチンをゾル状態にした前記液晶層用塗布液を、ＩＴＯ面側に、塗布後のウェット膜厚が９０μｍになるようにギャップを調整したマイクロメータ付きアプリケータで塗布した。
【０１２６】
５０℃／ＲＨ９０％の高温高湿チャンバー内に１５分間保持した後、室温下で１２時間乾燥させ、液晶層７として、１５μｍ径の単分散コレステリック液晶ドロップが少し偏平した形状で高分子バインダー中に単層稠密に分散された約１２μｍ厚のＰＤＬＣ層を形成した。
【０１２７】
このようにして作製した２枚の基板を、液晶層７とラミネート層８が向かい合い、かつ端面の一部が少しずれるように重ね合わせて、１００℃のラミネータを通して接着し、表示媒体（液晶デバイス）１を得た。
なお、ずらした端面上の各機能膜を除去してＩＴＯ電極を露出させておき、最終的に得られる表示媒体１の外部から両透明電極５，６が導通できるようにした。
【０１２８】
得られた表示媒体１の両透明電極５，６にリード線を付けた市販のミノ虫クリップ（接触端子１９）を接続し、リード線の他端を、電圧印加部１７としての高速・高電圧アンプ（松定プレシジョン社製，ＨＥＯＰＴ−１Ｂ６０型）に接続した。該高速・高電圧アンプから、０〜１０００Ｖの直流バイアス電圧を印加するようにした
【０１２９】
一方、光源として発光ダイオード光源（ＣＣＳ社製，ＨＬＶ−２７−ＮＲ−Ｒ型）を用い、これをリニアステージ（オリエンタルモータ社製，ＥＺｌｉｍｏ  ＥＺＨＳ型）に取り付けて、表示媒体１のＯＰＣ層１０側の面を走査できるように構成して、光照射部１８を作製した。当該光照射部１８により、ピーク波長６２５ｎｍ、バンド半値幅２０ｎｍ、照射強度１．０ｍＷ／ｃｍ2のＲｅｄ光を照射することができる。
【０１３０】
また、制御回路１６として任意波形発生器（ＮＦ回路設計ブロック社ＥＺ１９６０型）を用い、パーソナルコンピュータからの画像データに基づいて電圧印加部１７および光照射部１８の動作を適宜制御できるように配線した。
以上のようにして、本実施例および比較例に供する表示媒体（液晶デバイス）１がセットされた書き込み装置（液晶デバイスの駆動装置）２を得た。
【０１３１】
［比較例１］
電圧印加部１７により、１５０Ｖのバイアス電圧を２００ｍｓ間印加して表示媒体全面をＦ状態にする初期化動作（工程）を行った後に、一定（１５０Ｖ）のバイアス電圧を印加しながら、光照射部１８により表示媒体１に一定（２５０ｍｍ／ｓ）の走査速度で、一定の照射強度（１．０ｍＷ／ｃｍ2）のＲｅｄ光を露光して書き込み動作（工程）を行った。この走査操作開始時から最終ラインの書き込み工程開始時までの時間経過は約２００ｍｓである。
【０１３２】
書き込み動作終了後、印加していたバイアス電圧を止めて（表示確定動作（工程））、数秒後、表示媒体１の表示面（液晶層７側の面）の先頭ラインの部位および最終ラインの部位について、積分球形分光計（コニカミノルタ社製、ＣＭ２００２型）を用いてその反射率を測定した。結果を下記表１に示す。
ここで反射率とは、ＪＩＳ  Ｚ  ８７７２の拡散照明垂直受光方式に従ってＳＣＥ（正反射光除去）条件で測定した反射強度を、完全拡散面を１００％として規格化したものである。
【０１３３】
［実施例１］
比較例１において、書き込み動作（工程）のバイアス電圧が１秒間当たり１２Ｖの変化率で漸増するように、制御回路１６から電圧印加部１７への入力信号を変化させたことを除き、比較例１と同様にして画像を書き込み、表示媒体１の表示面の先頭ラインの部位および最終ラインの部位について、積分球形分光計（コニカミノルタ社製、ＣＭ２００２型）を用いてその反射率を測定した。結果を下記表１に示す。
【０１３４】
［実施例２］
比較例１において、書き込み動作（工程）の光の照射強度が１秒間当たり０．１ｍＷ／ｃｍ2の変化率で漸増するように、制御回路１６から光照射部１８への入力信号を変化させたことを除き、比較例１と同様にして画像を書き込み、表示媒体１の表示面の先頭ラインの部位および最終ラインの部位について、積分球形分光計（コニカミノルタ社製、ＣＭ２００２型）を用いてその反射率を測定した。結果を下記表１に示す。
【０１３５】
［実施例３］
比較例１において、書き込み動作（工程）の走査速度が１秒間当たり２０ｍｍ／ｓの変化率で減速するように、制御回路１６から光照射部１８への入力信号を変化させたことを除き、比較例１と同様にして画像を書き込み、表示媒体１の表示面の先頭ラインの部位および最終ラインの部位について、積分球形分光計（コニカミノルタ社製、ＣＭ２００２型）を用いてその反射率を測定した。結果を下記表１に示す。
【０１３６】
【表１】
0004586868.tif 000002
【０１３７】
表１の結果からわかるように、書き込み工程（動作）での電界エネルギー漸増手法を講じている実施例１〜３では、先頭ラインの部位と最終ラインの部位とで反射率が近似しており、本発明の構成により反射率のばらつきが抑えられ、ムラの少ない表示画像が得られることがわかる。
【図面の簡単な説明】
【０１３８】
【図１】コレステリック液晶の状態変化の一覧を示す模式図である。
【図２】従来の液晶デバイスの駆動方法により走査系の露光装置で書き込む際の書き込み時間を説明するための説明図である。
【図３】本発明の基本技術に係る液晶デバイスの駆動方法により書き込む際の書き込み時間を説明するための説明図である。
【図４】本発明の基本技術による書き込みの様子を時系列で表すチャートである。
【図５】図４のチャートによる書き込みの途中段階における液晶デバイスについて光の透過率を測定した結果を示すグラフであり、先頭ラインにおける走査操作開始時と書き込み工程開始時とを比較するものである。
【図６】図４のチャートによる書き込みの途中段階における液晶デバイスについて光の透過率を測定した結果を示すグラフであり、最終ラインにおける走査操作開始時と書き込み工程開始時とを比較するものである。
【図７】図４のチャートによる書き込みの途中段階における液晶デバイスについて光の透過率を測定した結果を示すグラフであり、先頭ラインにおける書き込み工程開始時から終了時までの間の推移を１ｍｓ毎に示したものである。
【図８】図４のチャートによる書き込みの途中段階における液晶デバイスについて光の透過率を測定した結果を示すグラフであり、最終ラインにおける書き込み工程開始時から終了時までの間の推移を１ｍｓ毎に示したものである。
【図９】図４のチャートによる書き込みの先頭ラインにおける液晶の状態変化を模式的に表す模式図であり、（ａ）は走査操作開始時から書き込み工程開始時の間の状態変化を、（ｂ）は書き込み工程開始時から終了時の間の状態変化をそれぞれ表す。
【図１０】図４のチャートによる書き込みの最終ラインにおける液晶の状態変化を模式的に表す模式図であり、（ａ）は走査操作開始時から書き込み工程開始時の間の状態変化を、（ｂ）は書き込み工程開始時から終了時の間の状態変化をそれぞれ表す。
【図１１】本発明の液晶デバイスの駆動方法を適用したシステムの例示的一態様である実施形態の概略構成図である。
【図１２】図１に示される構造の液晶デバイスの等価回路を示す回路図である。
【図１３】本発明の液晶デバイスの駆動方法に供し得る、本発明の液晶デバイスの駆動装置の例を示す斜視図である。
【図１４】本発明の液晶デバイスの駆動方法に供し得る、本発明の液晶デバイスの駆動装置の他の一例を示す斜視図である。
【図１５】図１１の液晶デバイス駆動装置の動作について、バイアス電圧・アドレス光強度・露光装置（ヘッド）の位置の相互関係について時系列で示すチャートである。
【図１６】液晶の配向状態を図１５のチャートに対応して模式的に表したチャートである。
【図１７】コレステリック液晶の分子配向と光学特性の関係を示す模式説明図であり、（Ａ）はプレーナ、（Ｂ）はフォーカルコニック、（Ｃ）ホメオトロピックの各状態におけるものである。
【図１８】コレステリック液晶のスイッチング挙動を説明するためのグラフである。
【図１９】従来の液晶デバイスの駆動方法により走査系の露光装置で画像の書き込みを行っている様子を模式的に表す模式図である。
【図２０】従来の液晶デバイスの駆動方法により走査系の露光装置で画像の書き込みを行った場合の一連の走査における初期の光照射時の表示画像の反射率の一例を表すグラフである。
【図２１】従来の液晶デバイスの駆動方法により走査系の露光装置で画像の書き込みを行った場合の一連の走査における最終ラインの光照射時の表示画像の反射率の一例を表すグラフである。
【符号の説明】
【０１３９】
１：表示媒体（液晶デバイス）、  ２：書き込み装置（駆動装置）、  ３，４：透明基板、  ５，６：透明電極（電極）、  ７：液晶層、  ８：ラミネート層、  ９：着色層、  １０：ＯＰＣ層（光導電体層）、  １１：高分子マトリックス、  １２：コレステリック液晶、  １３，１５：電荷発生層、  １４：電荷輸送層、  １６：制御回路、  １７：電圧印加部（電源装置）、  １８：光照射部（露光装置）、  １９：接触端子、  ５１：光源、  ５２：コリメータレンズ、  ５３：ポリゴンミラー、  ５４：ポリゴンモーター、  ５５：ｆ−θレンズ、  ５６：折り返し用ミラー、  ５７：レーザビーム、  ５８：ビーム調整ミラー、  ５９：同期信号発生器、  ６２：発光ダイオードアレイ、  ６３：自己結像型ロッドレンズアレイ
【図１】
0004586868.tif 000003
【図２】
0004586868.tif 000004
【図３】
0004586868.tif 000005
【図４】
0004586868.tif 000006
【図５】
0004586868.tif 000007
【図６】
0004586868.tif 000008
【図７】
0004586868.tif 000009
【図８】
0004586868.tif 000010
【図９】
0004586868.tif 000011
【図１０】
0004586868.tif 000012
【図１１】
0004586868.tif 000013
【図１２】
0004586868.tif 000014
【図１３】
0004586868.tif 000015
【図１４】
0004586868.tif 000016
【図１５】
0004586868.tif 000017
【図１６】
0004586868.tif 000018
【図１７】
0004586868.tif 000019
【図１８】
0004586868.tif 000020
【図１９】
0004586868.tif 000021
【図２０】
0004586868.tif 000022
【図２１】
0004586868.tif 000023